(57)【要約】【課題】本実施形態は、吹出し口を構成する断熱材に対して側面化粧板の位置決めを正確に行うことができ、隙間の発生を無くして冷気漏れを確実に防止する空気調和機を提供する。【解決手段】少なくとも左右側部を断熱材から構成して開口され、熱交換空気を吹出し案内する吹出し口を備えた空気調和機本体と、空気調和機本体の左右両側面を構成する側面化粧板とを具備し、吹出し口を構成する断熱材の左右両側面部における前面にスリット状の溝部を設け、側面化粧板に、前記吹出し口を構成する前記断熱材の左右両側面部に設けられる前記溝部に嵌合するリブを設けた。【選択図】    図４
2014190591.tif 000002
【特許請求の範囲】
【請求項１】
少なくとも左右側部を断熱材から構成して開口され、熱交換空気を吹出し案内する吹出し口を備えた空気調和機本体と、
前記空気調和機本体の左右両側面を構成する側面化粧板とを具備し、
前記吹出し口を構成する前記断熱材の左右両側面部における前面にスリット状の溝部を設け、
前記側面化粧板に、前記吹出し口を構成する前記断熱材の左右両側面部に設けられる前記溝部に嵌合するリブを設けた
ことを特徴とする空気調和機。
【発明の詳細な説明】
【技術分野】
【０００１】
本発明の実施形態は、たとえば天井吊下げ形の室内ユニットである空気調和機に関する。
【背景技術】
【０００２】
室内ユニットと室外ユニットからなる空気調和機において、いわゆる壁掛け形の室内ユニットのように部屋の壁面から突出するものではなく、天井裏の梁等から吊下げられ、ほとんど天井板に密着状態で取付けられて室内で圧迫感を感じさせることのない天井吊下げ形の室内ユニットである空気調和機が多用される。
【０００３】
この種の空気調和機は、ユニット本体（筐体）の高さ方向の寸法を可能な限り短縮して、より圧迫感の少ない形状とする反面、幅方向には寸法的な制約が少ない。そのため、ユニット本体を幅方向に広く形成し、天井面に沿った広い範囲から熱交換空気を吹出すことで、熱交換効率の向上を図っている。
【先行技術文献】
【特許文献】
【０００４】
【特許文献１】特開２０１２−１６４０７２号公報
【発明の概要】
【発明が解決しようとする課題】
【０００５】
特に、熱交換空気が吹出される吹出し口の上下左右側部は、所定厚さの発泡断熱材で構成され、露付きを防止する。ユニット本体の左右両側部である側面化粧板は、吹出し口を構成する断熱材に押し付けることにより取付けていた。また側面化粧板は、ユニット本体の天板部に設けられる吊りボルトの掛止部を遮蔽する役目も担っている。
【０００６】
ところが、断熱材に側面化粧板を押し付けるだけなので、この取付け位置を正確に定めることができずに、側面化粧板が位置バラツキが生じ易い。側面化粧板と吹出し口を構成する断熱材との間に隙間が生じると、冷房運転時に隙間から漏れた冷気が側面化粧板と吊りボルトに付着し、露付きが生じる虞れがある。
【０００７】
このような事情から、吹出し口を構成する断熱材に対して側面化粧板の位置決めを正確に行うことができ、隙間の発生を無くして冷気漏れを確実に防止する空気調和機が求められている。
【課題を解決するための手段】
【０００８】
本実施形態の空気調和機によれば、少なくとも左右側部を断熱材から構成して開口され、熱交換空気を吹出し案内する吹出し口を備えた空気調和機本体と、前記空気調和機本体の左右両側面を構成する側面化粧板とを具備し、  
前記吹出し口を構成する前記断熱材の左右両側面部における前面にスリット状の溝部を設け、前記側面化粧板に、前記吹出し口を構成する前記断熱材の左右両側面部に設けられる前記溝部に嵌合するリブを設けた。
【図面の簡単な説明】
【０００９】
【図１】本実施形態に係る、空気調和機を構成する室内ユニットの外観視図。
【図２】同実施形態に係る、室内ユニットの縦断面図。
【図３】同実施形態に係る、ユニット本体に対して側面化粧板を分離した斜視図。
【図４】同実施形態に係る、吹出し口に対して側面化粧板を分離した斜視図。
【図５】同実施形態に係る、吹出し口を構成する断熱材と側面化粧板との斜視図。
【図６】同実施形態に係る、側面化粧板の着脱を説明する室内ユニットの斜視図。
【図７】同実施形態に係る、吹出し口に設けられる位置決め用金具および溝部に対する側面化粧板に設けられるガイドリブの関係を順に示す図。
【発明を実施するための形態】
【００１０】
以下、本実施形態に係る空気調和機を、図面にもとづいて説明する。  
図１は空気調和機を構成する室内ユニットの外観斜視図、図２は室内ユニットの縦断面図である。
【００１１】
図中１はユニット本体（空気調和機本体）であり、図示しない天井裏の梁等から吊り下げられた吊りボルトに引掛けられ、室内に露出するとともに天井面に極く近接した状態で取付けられる。このユニット本体１は、厚さ方向（高さ方向）寸法と比較して幅方向（水平方向）寸法が極めて大に形成される。
【００１２】
ユニット本体１は、下面を構成する底板部１ａと、吊り下げられた状態で天井と近接する上面を構成する天板部１ｂと、これら底板部１ａと天板部１ｂとを連結する左右一対の側面化粧板である側板部１ｃおよび背面部１ｄとから構成される。
【００１３】
前記底板部１ａには、幅方向と直交する前後方向の略半分程度で、幅方向に沿いグリル１０とフィルタ１１が着脱自在に嵌め込まれた吸込み口２が設けられる。ユニット本体１の前面部に、水平ルーバ１２が開閉自在に取付けられた吹出し口３が設けられていて、水平ルーバ１２のさらに奥部には縦ルーバ１３（図４中）が回動自在に取付けられる。
【００１４】
ここで、図２に示すように、ユニット本体１は、側面視において、天板部１ｂの前側端部、吹出し口３、底板部１ａにかけて連続的でなだらかな曲線形状が成形されている。なお、側板部１ｃと吹出し口３については後述する。
【００１５】
ユニット本体１内部には仕切り板６が設けられる。この仕切り板６は、先に説明したグリル１０が嵌め込まれる吸込み口２の一側縁に沿って立設され、ユニット本体１の天板部１ｂに当接するように延出される。また、仕切り板６は左右の側板部１ｃに当接するように延出され、ユニット本体１内を二室Ａ，Ｂに区画することになる。
【００１６】
すなわち、ユニット本体１内部は仕切り板６を挟んで、吸込み口２側に送風装置Ｓおよび送風装置Ｓ等を駆動制御する電気部品類を収容する電気部品箱９が配置される送風室Ａと、吹出し口３側に室内熱交換器５が配置される熱交換室Ｂとが形成される。
【００１７】
前記送風室Ａに配置される送風装置Ｓは、両側面から回転軸が突出する二軸のファンモータと、このファンモータの左右それぞれの回転軸に嵌着されるファンと、ファンを収容するファンケースとから構成される。電気部品箱９は、送風装置Ｓとユニット本体背面部１ｄとの間に形成される隙間に介挿され、取付け固定される。
【００１８】
前記熱交換室Ｂには、前記室内熱交換器５と、この室内熱交換器５の下部にドレン受け７が収容される。室内熱交換器５は、ユニット本体１が縦方向寸法を極力短縮して形成されるため、極く傾いた状態で斜めにして配置される。
【００１９】
前記ドレン受け７は、たとえば厚肉の合成樹脂材から形成されていて、斜めに傾けた室内熱交換器５から冷凍サイクル運転にともなって生成され滴下するドレン水滴の全てを受けられるように、熱交換室Ｂの底面のほとんど全部を占める大きな面積に形成される。
【００２０】
前記熱交換室Ｂ上部には室内熱交換器５の上端部を支持する上部断熱材３０が設けられていて、前記室内熱交換器５の冷凍サイクル作用にともなう発熱（温熱・冷熱）がユニット本体１を形成する板材に伝達しないように、前記ドレン受け７と同様、厚肉に形成される。
【００２１】
図３は、ユニット本体１から側板部１ｃを取外した状態を示す斜視図。図４は、ユニット本体１と側板部１ｃとの一部を拡大して示す斜視図。図５は、吹出し口側面部３ｃと側板部１ｃの一部を拡大して示す斜視図である。
【００２２】
なお、図３は、水平ルーバ１２で吹出し口３を閉成しているが、図４では、水平ルーバ１２を回動して吹出し口３を開放した状態を示している。図５は、吹出し口３を構成する吹出し口上部と吹出し口下部を取外した状態である。
【００２３】
特に図４に示すように、前記天板部１ｂから一体に延出され、前面側に折曲形成される前面折返し片部１ｂｂが設けられ、この前面折返し片部１ｂｂに沿ってウレタンフォーム等の発泡断熱材が設けられ、吹出し口上部３ａを形成する。前記底板部１ａは、曲成された状態で前面側に延出され、この底板部前面端縁１ａａに沿ってウレタンフォーム等の発泡断熱材が設けられ、吹出し口下部３ｂを形成する。
【００２４】
図３に示すように、左右両側板部１ｃの内側に、金属板体からなる側面内板１５が設けられ、組立てた状態で側板部１ｃに遮蔽される。図４および図５に示すように、側面内板１５の内面側にウレタンフォーム等の発泡断熱材が貼着され、吹出し口左右両側部３ｃを形成する。すなわち、上述した吹出し口上部３ａと、吹出し口下部３ｂおよび吹出し口左右両側部３ｃに囲まれた開口部が吹出し口３となる。
【００２５】
吹出し口左右両側部３ｃの前面に、上下方向に長く、かつ互いに所定間隔を存して、スリット状の第１の溝部１６と第２の溝部１７が設けられる。これら、第１の溝部１６と第２の溝部１７は、前面折返し片部１ｂｂと底板部前面端縁１ａａの、それぞれの左右両側端縁に沿って設けられている。
【００２６】
側面内板１５の一部は前面折返し片部１ｂｂの左右両側端部に延出され、ここに図４に示すように位置決め用金具２０が設けられる。位置決め用金具２０には、左右幅方向に大きな大ガイド長孔２０ａと、幅方向に狭い小ガイド長孔２０ｂが、傾斜ガイド部ｋを介して、上下方向に連続して設けられている。
【００２７】
これら大ガイド長孔２０ａと小ガイド長孔２０ｂの中心軸は互いに同一であり、吹出し口左右両側部３ｃに設けられる第１、第２の溝部１６，１７の中心軸の延長上に沿う。すなわち、第１の溝部１６と第２の溝部１７および大ガイド長孔２０ａと小ガイド長孔２０ｂは、全て同じ中心軸で、互いに位置を揃えて設けられることになる。
【００２８】
側面内板１５は吹出し口３部分まで延長されず、この手前までしか設けられていない。側面内板１５の上端部は天板部１ｂまで延出されていて、掛止金具が取付けられる。掛止金具には建屋の梁等から吊下げられる吊りボルトの下端部が掛止する。側面内板１５を遮蔽する側板部１ｃは、掛止金具と吊り金具下部を室内側から遮蔽することになる。
【００２９】
前記側板部１ｃは、底板部１ａなど他のユニット本体１を構成する部材と同様、美麗に仕上げられていて、この周辺部に沿って内側に折り返し形成された折り返し片部１ｃｃが一体に設けられる。
【００３０】
特に図４および図５に示すように、折り返し片部１ｃｃの端縁一部が、さらに内側（側板部１ｃと並行する方向）に突出し、複数のリブが互いに所定間隔を存して設けられる。最も上位のリブをガイド用リブ２２と呼び、中位のリブを第１のリブ２３ａと呼び、最も下位のリブを第２のリブ２３ｂと呼ぶ。
【００３１】
したがって、側板部１ｃの折り返し片部１ｃｃに設けられるガイド用リブ２２と、第１のリブ２３ａおよび第２のリブ２３ｂは、全て同一中心軸上に設けられることになり、折り返し片部１ｃｃからの突出高さも略同一に形成される。
【００３２】
ガイド用リブ２２と第１、第２のリブ２３ａ，２３ｂの幅寸法（板厚）は、位置合せ用金具２０の小ガイド長孔２０ｂおよび吹出し口両側部３ｃの第１、第２の溝部１６，１７の幅寸法と略同一に設定される。大ガイド長孔２０ａの幅寸法および長さ寸法は、小ガイド長孔２０ｂのそれよりも極めて大であることは言うまでもない。
【００３３】
また、ガイド用リブ２２の長さ寸法は小ガイド長孔２０ｂの長さ寸法と略一致し、第１、第２のリブ２３ａ，２３ｂの長さ寸法より、第１、第２の溝部１６，１７の長さ寸法が充分に大であるよう形成される。
【００３４】
このようにして構成される吹出し口左右両側部３ｃと側板部１ｃであり、側板部１ｃを除いて仕上げられたユニット本体１に対して側板部１ｃは以下に述べるようにして取付けられる。
【００３５】
図６は、側板部１ｃの着脱を説明する室内ユニットの斜視図であり、図７は、側板部１ｃに設けられる位置決め用金具２０と、吹出し口両側部３ｃに設けられる第１、第２の溝部１６，１７との位置関係を順に示す図である。
【００３６】
はじめ、側板部１ｃを、側板部１ｃを除いて組立てられるユニット本体１側面に嵌め込む。このとき、図６に示すように、側板部１ｃはユニット本体１側面とは位置をずらせて、詳しくはユニット本体１の側面よりも手前側に突出するように対向させる。
【００３７】
つぎに、図７（Ａ）に示すように、側板部１ｃをスライド付勢して、ここに設けられるガイド用リブ２２を位置決め用金具２０の大ガイド長孔２０ａに挿入する。このとき、大ガイド長孔２０ａの幅方向寸法は、ガイド用リブ２２の板厚に対して極めて大であるので、何らの手間もかからず、極めて容易に挿入できる。
【００３８】
つぎに、図７（Ｂ）に示すように、側板部１ｃをスライド付勢すると、ガイド用リブ２２は大ガイド長孔２０ａを介して傾斜ガイド部ｋに移動するとともに、小ガイド長孔２０ｂを臨む位置に案内される。
【００３９】
ガイド用リブ２２は大ガイド長孔２０ａに対する位置が定まらなくても、大ガイド長孔２０ａから傾斜ガイド部ｋに移動するにつれて正規の位置に必然的に定まる。このときはまだ、側板部１ｃに設けられる第１のリブ２３ａは第１の溝部１６に挿入できる位置になくてもよい。
【００４０】
図７（Ｃ）に示すように、側板部１ｃをさらにスライド付勢すると、ガイド用リブ２２の一部は傾斜ガイド部ｋを抜け出て小ガイド長孔２０ｂに挿入される。ユニット本体１に対する側板部１ｃの位置がほとんど定まって、第１のリブ２３ａの一部を第１の溝部１６に挿入でき、第２のリブ２３ｂの一部を第２の溝部１７に挿入できる。
【００４１】
図７（Ｄ）に示すように、側板部１ｃをさらにスライド付勢して、完全にユニット本体１側面に対向させた状態で、側板部１ｃのガイド用リブ２２は位置合せ用金具２０の小ガイド長孔２０ｂに完全に挿入し嵌合する。
【００４２】
同時に、側板部１ｃの第１のリブ２３ａと第２のリブ２３ｂは、ユニット本体１の第１の溝部１６と第２の溝部１７に完全に挿入し嵌合する。上述したように、位置合せ用金具２０の小ガイド長孔２０ｂと、第１、第２の溝部１６，１７の中心軸は一致していて、側板部１ｃは位置ずれすることなく正規の位置に嵌め込まれる。
【００４３】
すなわち、側板部１ｃを容易に、しかも正しく位置決めした状態で取付けることができる。吹出し口３を形成する発泡断熱材の左右両側部３ｃの外側に側板部１ｃが位置することとなり、吹出し口３に案内される熱交換空気（冷気）が漏れて側板部１ｃに接触することがない。したがって、吹出し口３の露付きを確実に防止できる。  
さらに、熱交換空気が漏れて天板部１ｂの吊り金具に接触することがなく、吊り金具での露付きを確実に防止できる。
【００４４】
また、吹出し口３の左右両側部３ｃを発泡断熱材で構成することで、吹出し口３の左右両側部３ｃの形状を側板部１ｃの前側部の曲線形状に対応した形状に成形することが容易となり、ユニット本体１の天板部１ｂの前側端部、吹出し口３、底板部１ａにかけて連続的でなだらかな曲線形状とすることができる。これにより美観が向上する。
【００４５】
なお、ここでは天井吊下げ形の空気調和機として説明したが、これに限定されるものではなく、床置きタイプの空気調和機に適応可能なことは言うまでもない。
【００４６】
以上、本実施形態を説明したが、上述の実施形態は、例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００４７】
６…仕切り板、５…熱交換器、Ｂ…熱交換室、Ｓ…送風装置、Ａ…送風室、１…ユニット本体（空気調和機本体）、３…吹出し口、１ｃ…側板部（側面化粧板）、１６…第１の溝部、１７…第２の溝部、２３ａ…第１のリブ、２３ｂ…第２のリブ。
【図１】
2014190591.tif 000003
【図２】
2014190591.tif 000004
【図３】
2014190591.tif 000005
【図４】
2014190591.tif 000006
【図５】
2014190591.tif 000007
【図６】
2014190591.tif 000008
【図７】
2014190591.tif 000009